(57)【要約】【課題】反射板およびグレアカットキャップの着脱および交換が容易な照明器具を提供する。【解決手段】開口部の周縁につば４を設けつば４に切欠き部５を形成し内部に光源を配置する反射板４と、つば４に重なる輪状のフレーム８を有しフレーム８に端部が連結されたバー９を有しバー９に保持されて光源の前方を覆うキャップ１０を有して切欠き部５に整合する切欠き部１１をフレーム８に有するグレアカットキャップ手段２と、反射板４を挿入する凹部１２を有し切欠き部５、１１を挿通させ、かつ、つば４およびフレーム８を周方向に回動させることにより保持可能にする保持手段１４を有する灯体３とを備えている。保持手段１４は、切欠き部５、１１を挿通させる突起部１５を有し、つば４およびフレーム８が係合する溝１６を突起部１５に有し、さらにつば４に押圧するばね部材１７を有する。【選択図】  図１
2005019039.tif 000002
【特許請求の範囲】
【請求項１】
開口部の周縁につばを設け前記つばに切欠き部を形成し内部に光源を配置する反射板と、前記つばに重なる輪状のフレームを有し前記フレームに端部が連結されたバーを有し前記バーに保持されて前記光源の前方を覆うキャップを有して前記切欠き部に整合する切欠き部を前記フレームに有するグレアカットキャップ手段と、前記反射板を挿入する凹部を有し前記つばおよび前記フレームの前記切欠き部を挿通させかつ前記つばおよび前記フレームを周方向に回動させることにより保持可能にする保持手段を有する灯体とを備えた照明器具。
【請求項２】
前記保持手段は、前記つばおよび前記フレームの前記切欠き部を挿通させる突起部を有し、前記つばおよび前記フレームを周方向に回動することにより前記つばおよびフレームが係合する溝を前記突起部に有し、さらに前記つばおよび前記フレームを前記溝の内側面に押圧するばね部材を有する請求項１記載の照明器具。
【請求項３】
前記反射板は、光軸を中心とする周方向に等分割され、かつ前記光軸に垂直な径方向に多数分割された多角平面体から形成され、光軸方向の照射開口部より前記光軸側に向けて段階的に周方向分割の分割角が増大している請求項１または請求項２記載の照明器具。
【発明の詳細な説明】
【０００１】
【発明の属する技術分野】
この発明は、グレアカットキャップを有する照明器具に関するものである。
【０００２】
【従来の技術】
従来のこの種の照明器具には、光源を有する灯体の開口部にバーの一端をヒンジ付けし、バーの中央に設けたキャップを光源の前方に被せ、バーの他端を灯体の開口部に着脱自在に取付けたものがある（特許文献参照）。
【０００３】
【特許文献】
特開平７−１６９３０１号
【０００４】
【発明が解決しようとする課題】
しかしながら、反射板およびグレアカットキャップの着脱および交換が容易でないという欠点があった。
【０００５】
したがって、この発明の目的は、反射板およびグレアカットキャップの着脱および交換が容易な照明器具を提供することである。
【０００６】
【課題を解決するための手段】
請求項１記載の照明器具は、開口部の周縁につばを設け前記つばに切欠き部を形成し内部に光源を配置する反射板と、前記つばに重なる輪状のフレームを有し前記フレームに端部が連結されたバーを有し前記バーに保持されて前記光源の前方を覆うキャップを有して前記切欠き部に整合する切欠き部を前記フレームに有するグレアカットキャップ手段と、前記反射板を挿入する凹部を有し前記つばおよび前記フレームの前記切欠き部を挿通させかつ前記つばおよび前記フレームを周方向に回動させることにより保持可能にする保持手段を有する灯体とを備えたものである。
【０００７】
請求項１記載の照明器具によれば、反射板およびグレアカットキャップを差し込み回転により固定するようにしたので、反射板およびグレアカットキャップの着脱および交換が容易になる。
【０００８】
請求項２記載の照明器具は、請求項１において、前記保持手段が、前記つばおよび前記フレームの前記切欠き部を挿通させる突起部を有し、前記つばおよび前記フレームを周方向に回動することにより前記つばおよびフレームが係合する溝を前記突起部に有し、さらに前記つばおよび前記フレームを前記溝の内側面に押圧するばね部材を有するものである。
【０００９】
請求項２記載の照明器具によれば、請求項１と同様な効果のほか、フレームを差し込み回転するだけで反射板およびグレアカットキャップ手段を保持手段に保持できるので、より一層キャップの着脱交換が容易になる。
【００１０】
請求項３記載の照明器具は、請求項１において、前記反射板が、光軸を中心とする周方向に等分割され、かつ前記光軸に垂直な径方向に多数分割された多角平面体から形成され、光軸方向の照射開口部より前記光軸側に向けて段階的に周方向分割の分割角が増大しているものである。
【００１１】
請求項３記載の照明器具によれば、請求項１と同様な効果のほか、照射パターン内の中心部分が極端に明るくなるのを防ぐことができ、均斉度を向上することができる。光源の像が照射パターン内にムラとして写るのを防ぐことができる。
【００１２】
【発明の実施の形態】
この発明の第１の実施の形態を図１から図５に基づいて説明する。すなわち、この照明器具は、反射板１と、グレアカットキャップ手段２と、灯体３を有する。
【００１３】
反射板１は、開口部の周縁につば４を設け、つば４に切欠き部５を形成し、内部に光源６を配置する。実施の形態ではスポットライト用で砲弾形状など、例えば光軸に対して略回転放物面をなす反射鏡であり、光軸に垂直な周縁につば４を有し、つば４には光軸に対して対称位置に切欠き部５を設けてある。光源６は後述の灯体３に保持され、反射板１の頂部に光源６を挿通する光源挿通口７を形成している。
【００１４】
グレアカットキャップ手段２は、つば４に重なる輪状のフレーム８を有し、フレーム８に端部が連結されたバー９を有し、バー９に保持されて光源６の前方を覆うキャップ１０を有し、切欠き部５に整合する切欠き部１１をフレーム８に形成している。キャップ１０は光源６からの直射光を遮光するものであり、フレーム８は反射板１のつば４と略同形状である。
【００１５】
灯体３は、反射板１を挿入する凹部１２を有し、光源６を凹部１２内に位置するように装着するランプソケット１３を有し、反射板１のつば４およびフレーム８の切欠き部５、１１を挿通させかつつば４およびフレーム８を周方向に回動させることにより保持可能とする保持手段１４を有する。保持手段１４は、つば４およびフレーム８の切欠き部５、１１を挿通させる突起部１５を有し、つば４およびフレーム８を周方向に回動することによりつば４およびフレーム８が係合する溝１６を突起部１５に有し、つば４およびフレーム８を溝１６の側面に押圧するばね部材１７を有する。ばね部材１７は突起部１５に対して灯体３の周方向に所定の間隔をおいて反射板１の周縁部に設けられる。ばね部材１７の形状は板ばねを山形に形成した形状をなし、その両端が開口部に向けられ頂部が灯体３の取付部３０にねじ３１により固定されている。反射板１のつば４にグレアカットキャップ手段２のフレーム８を重ねた状態で反射板１の頂部側を灯体３の凹部１２に挿入し、つば４をばね部材１７に押し当てながら、切欠き部５、１１を突起部１５に挿通し、つば４およびフレーム８が溝１６に入るようにこれらを周方向に回動させ、ばね部材１７と溝１６の内側面とでつば４とフレーム８を挟んだ状態に固定する。
【００１６】
実施の形態のスポットライトの灯体３は、砲弾状形状を有しており、上記のように凹入された反射板１とグレアカットキャップ５を内包する。灯体３の前方には、光の照射特性を変化させるレンズ３３が灯体１と掛かり合う枠２０内に内包される。
【００１７】
枠２０は、灯体３の開口部に冠合する構成である。灯体３の開口部の外周面につまみねじ２１とＬ字形の溝２２を形成している。枠２０の周縁部につまみねじ２１の首部が通るＬ字形のスリット２３および溝２２に係合する突起２４（図２）を形成している。枠２０を灯体３の開口部に冠合するとき、つまみねじ２１にスリット２３を通し、突起２４を溝２２に通す。つぎに枠２０を回動してつまみねじ２１をスリット２３の内端部に位置し、突起２４を溝２２の内端部に位置させ、つまみねじ２１を締付けて固定する。
【００１８】
枠２０の内周縁にはレンズ３３の周縁部が載せられている。レンズ３３の周縁に例えばゴムを用いた断面コ字形でリング状の弾性体３４が被せられ、弾性体３４上をＣ字形のリング状のばね３５で押さえ固定している。枠２０の内周縁の周方向の複数箇所に、溝３６を形成した支持体３７を有し、ばね３５の両端のつまみ部３５ａをつまんで径を縮小するように弾性変形した状態で弾性体３４を押さえ、手を離してばね３５の径を復元拡大させてばね３５を溝３６に係止し固定状態とする。
【００１９】
灯体３の両側面にはアーム２６の一端がつまみ４０により回動可能に取付けられ、アーム２６の他端間に電子トランスを内蔵した本体２７が取付けられ、本体２７から灯体３のランプソケット１３にリード線４２が引き出されている。本体２７には配線ダクト４３に接続する配線ダクト用プラグ２８が設けられている。
【００２０】
第１の実施の形態によれば、反射板１およびグレアカットキャップ手段２の交換が可能となり工具を要することなく容易に着脱できる。また、回動方向への光軸調整が可能となり、反射板１を代えて異形配光（楕円など）への対応が可能となる。反射板１、グレアカットキャップ１０がー体ではないため、光源７の傾きを微調整することができる。また反射板１、グレアカットキャップ１０が同一の取付構造のため構造が簡素化できる。
【００２１】
第１の実施の形態の変形形態として、突起部１５は図１に示すように枠体３の開口部１２ａから軸方向の内方の奥まった位置に設けられているが、突起部１５の先端を開口部１２ａまで連続するように延長してもよい。この場合、全ての切欠き部５、１１を全ての突起部１５に挿通することにより、はじめて反射板１およびグレアカットキャップ手段２の回動操作が可能となるため、半係りの誤装着を防止できる。
【００２２】
この発明の第２の実施の形態を図６および図７により説明する。すなわち、第１の実施の形態において、突起部１５は切欠き部５、１１の周方向の幅より長く形成され、溝１６がなくて上面に締結用ねじ４４を有する。切欠き部５、１１はつまみとなる頭部を挿通するように深く形成した頭部挿通部４５と、頭部が係止するように浅く形成した頭部係止部４６を有する。反射板１のつば４およびグレアカットキャップ手段２のフレーム８を重ねた状態で切欠き部５、１１の頭部挿通部４５をねじ４４の頭部に挿通し、つば４を突起部１５の上面に載せ、つぎに回動して頭部係止部４６を頭部の下側に挾み込ませ、ねじ４４を締付けてつばおよびフレーム８を突起部１５に固定する。
【００２３】
その他は第１の実施の形態と同様である。
【００２４】
この発明の第３の実施の形態を図８に示す。すなわち、第１の実施の形態または第２の実施の形態において、反射板１は、光軸Ｏを中心とする周方向に等分割され、かつ光軸Ｏに垂直な径方向に多段をなすように多数分割された多角平面体５０から形成され、光軸方向の照射開口部より光軸Ｏ側に向けて段階的に周方向分割の分割角が増大するようにしている。
【００２５】
詳しく説明すると、反射板１の内面は、例えば砲弾状形状の例えば回転放物面に沿って、つば４のある開口から光源挿通口７にかけて光軸に直交する径方向に多段をなすよう多数に分割されており、各段の反射面はさらに光軸Ｏを中心とする周方向に放射状をなすように等分割されている。その各面は、多角平面体５０から構成されており、開口から光源挿通口７にかけて段階的に周方向の分割角度したがって分割数を変化させている。実施の形態では、径方向に１６段分割しており、周方向には開口から径方向の１２段目にかけて５度ピッチ、７２分割とした四角形の多角平面体５０とし、１３、１４段目を１０度ピッチ、３６分割とした５角形と四角形の多角平面体５０とし、１５，１６段目を２０度ピッチ、１８分割とした５角形と四角形の多角平面体５０としている。また多角平面体５０は径方向に直線的に並んでいる。
【００２６】
これにより、照射パターン内の中心部分が極端に明るくなるのを防ぐことができ、均斉度が向上する。また光源の像が照射パターン内にムラとして写るのを防ぐことができる。
【００２７】
この発明の第４の実施の形態を図９に示す。すなわち、第３の実施の形態において、反射板１は、多角平面体５０が径方向に隣接する各面を周方向に任意の角度回転して配置されており、例えば径方向の各段において、周方向に分割角の１／２の角度をずらしている。実施の形態では、径方向の分割数を１１段とし、周方向の分割はつば４のある開口から７段目までを７．５度、４８分割とした五角形と六角形からなる多角平面体５０とし、８段目から１１段目を１５度、２４分割とした五角形と六角形からなる多角平面体５０としている。さらに、径方向の各段を３．７５度周方向にずらしている。この結果、径方向に並ぶ多角平面体５０は直線的に
並んでいない。
【００２８】
これにより、第３の実施の形態の効果に加えて、グレアカットキャップ１０を支持するバー８の影が照射面にあらわれるのを防ぐことができる。
【００２９】
【発明の効果】
請求項１記載の照明器具によれば、反射板およびグレアカットキャップを差し込み回転により固定するようにしたので、反射板およびグレアカットキャップの着脱および交換が容易になる。
【００３０】
請求項２記載の照明器具によれば、請求項１と同様な効果のほか、フレームを差し込み回転するだけで反射板およびグレアカットキャップ手段を保持手段に保持できるので、より一層キャップの着脱交換が容易になる。
【００３１】
請求項３記載の照明器具によれば、請求項１と同様な効果のほか、照射パターン内の中心部分が極端に明るくなるのを防ぐことができ、均斉度を向上することができる。光源の像が照射パターン内にムラとして写るのを防ぐことができる。
【図面の簡単な説明】
【図１】この発明の第１の実施の形態の一部の分解斜視図である。
【図２】その組立状態の正面からみた半断面図である。
【図３】一部破断側面図である。
【図４】全体の一部断面側面図である。
【図５】全体の正面図である。
【図６】第２の実施の形態の反射板の正面図である。
【図７】灯体の開口部の正面図である。
【図８】第３の実施の形態の反射板の正面図である。
【図９】第４の実施の形態の反射板の正面図である。
【符号の説明】
１    反射板
２    グレアカットキャップ手段
３    灯体
４    つば
５    切欠き部
６    光源
８    フレーム
９    バー
１０    キャップ
１１    切欠き部
１２    凹部
１４    保持手段
１５    突起部
１６    溝
１７    ばね部材
２０    枠
５０    多角平面体
【図１】
2005019039.tif 000003
【図２】
2005019039.tif 000004
【図３】
2005019039.tif 000005
【図４】
2005019039.tif 000006
【図５】
2005019039.tif 000007
【図６】
2005019039.tif 000008
【図７】
2005019039.tif 000009
【図８】
2005019039.tif 000010
【図９】
2005019039.tif 000011